(57)【要約】      （修正有）【課題】簡単な構造で、粘着テープを巻回したテープロールから一定の長さに切断できるテープカッターを提供する。【解決手段】粘着テープ２を巻回したテープロール１を回動自在に支持するテープ支持部１１と、粘着テープ２の粘着面側に前後方向に揺動自在に取り付けて前方への揺動により前記粘着テープ２を非粘着面側から切断する切断刃２０と、を備えたテープカッターにあって、ローラー３０を揺動軸部２１に回動自在に遊嵌し、前記切断刃２０が上方揺動位置にある状態で前記ローラー３０が下方に押圧されながら前記揺動軸部２１の周りを前方に回動する際の前記切断刃２０の揺動により記粘着テープ２を非粘着面側から切断テープカッターを提供する。【選択図】図４
2013245109.tif 000002
【特許請求の範囲】
【請求項１】
粘着テープを巻回したテープロールを回動自在に支持するテープ支持部と、前記テープ支持部に支持されたテープロールから引き出した粘着テープの粘着面側に前後方向に揺動自在に取り付けて前方への揺動により前記粘着テープを非粘着面側から切断する切断刃と、を備えたテープカッターにあって、前記切断刃の揺動軸部の外径よりも大きな内径を有する円筒状体の内周面に係合部を設けたローラーを前記揺動軸部に回動自在に遊嵌し、前記切断刃が上方揺動位置にある状態で前記ローラーが下方に押圧されながら前記揺動軸部の周りを前方に回動する際に前記係合部が係合する被係合部を前記揺動軸部の外周面の後部斜め上に設け、前記切断刃を後方に揺動付勢するとともに前記ローラーを上方に付勢する付勢部材と、前記切断刃の後方への揺動を上方揺動位置で係止するストッパーと、前記ローラーの前方位置および後方位置で前記粘着テープを下方に押し下げるテープ押下部と、を備えたことを特徴とするテープカッター。
【発明の詳細な説明】
【技術分野】
【０００１】本発明は、粘着テープを巻回したテープロールを回動自在に支持し、そのテープロールから引き出した粘着テープを切断するカッター器具に関する。
【背景技術】
【０００２】電動テープカッターは、取出口から排出されている粘着テープを取り出すと、自動的に次の粘着テープが一定の長さに切断されて取出口から排出され、一定の長さに切断された粘着テープを次々に取り出すことができるので、多数の包装物や封筒口の封止を行う際に非常に便利である。【０００３】その電動テープカッターは、電動モーターを駆動源として、粘着テープの取り出しを検知して入電する機構と、粘着テープを巻回したテープロールから次の粘着テープを巻き出す機構と、巻き出された粘着テープを一定の長さで切断する機構等とからなる複雑な構造のため低コストで製造することができず、また電動モーターを使用するため電力なしで使用することができない。
【発明の概要】
【発明が解決しようとする課題】
【０００４】上述のような従来の問題点に鑑み、本発明は、電力を使用せず、簡単な構造で、粘着テープを巻回したテープロールから一定の長さに切断された粘着テープを次々に取り出すことができるテープカッターを提供することを目的とする。
【課題を解決するための手段】
【０００５】本発明のテープカッターは、粘着テープを巻回したテープロールを回動自在に支持するテープ支持部と、前記テープ支持部に支持されたテープロールから粘着テープを引き出す方向を前方とし、前記粘着テープの粘着面側から非粘着面側に向かう方向を上方として、前記粘着テープの粘着面側に前後方向に揺動自在に取り付けて前方への揺動により前記粘着テープを非粘着面側から切断する切断刃と、を備えたテープカッターにあって、前記切断刃の揺動軸部の外径よりも大きな内径を有する円筒状体の内周面に係合部を設けたローラーを前記揺動軸部に回動自在に遊嵌し、前記切断刃が上方揺動位置にある状態で前記ローラーが下方に押圧されながら前記揺動軸部の周りを前方に回動する際に前記係合部が係合する被係合部を前記揺動軸部の外周面の後部斜め上に設け、前記切断刃を後方に揺動付勢するとともに前記ローラーを上方に付勢する付勢部材と、前記切断刃の後方への揺動を上方揺動位置で係止するストッパーと、前記ローラーの前方位置および後方位置で前記粘着テープを下方に押し下げるテープ押下部と、を備える。
【発明の効果】
【０００６】本発明のテープカッターによれば、粘着テープを前方に適当長さ引き出したテープロールを粘着面を下向きにして前記テープ支持部に装填し、前記粘着テープの粘着面を前記ローラーの外周面の上部に当接させ、前記テープ押下部を前記ローラーの前方位置および後方位置で前記粘着テープの非粘着面に押し当てて前記粘着テープを下方に押し下げ、初期状態とする。【０００７】前記粘着テープの先端をつまんで引き出すと、前記粘着テープの非粘着面が前記テープ押下部に押し付けられ、その反力により前記粘着テープの粘着面が前記ローラーに押し付けられるため、前記付勢部材の付勢力に抗して前記ローラーが下方に押し下げられ、前記切断刃が上方揺動位置にある状態で、前記粘着テープの引き出しとともに前記ローラーが下方に押圧されながら前記揺動軸部の周りを前方に回動し、前記係合部が前記揺動軸部の外周面の後部斜め上で前記被係合部に係合する。【０００８】さらに前記粘着テープを引き出すと、前記ローラーが下方に押圧されながら前方に回動するとともに前記切断刃が前記付勢部材の付勢力に抗して上方揺動位置から前方に揺動し、前方揺動位置で前記粘着テープの非粘着面側から前記粘着テープを切断する。【０００９】前記切断刃が前方揺動位置にある状態では、前記係合部は前記揺動軸部の外周面の前部斜め上で前記被係合部に係合しており、前記粘着テープの切断後は、前記粘着テープの非粘着面が前記テープ押下部に押し付けられなくなり、その反力が消失して前記粘着テープの粘着面が前記ローラーに押し付けられなくなるため、前記ローラーを下方に押圧する力が消失して前記付勢部材の付勢力により前記ローラーが上方に押し上げられ、前記係合部と前記被係合部との係合が解除され、前記切断刃を前方に揺動する力が消失して前記付勢部材の付勢力により前記切断刃が前方揺動位置から後方に揺動し、上方揺動位置で前記ストッパーに係止する。【００１０】前記ローラーは、前記揺動軸部に回動自在に遊嵌されているため、上方に押し上げられた状態では、前記切断刃の後方への揺動とともに後方に回動することがなく、また前記粘着テープの非粘着面側からの切断であるため、前記粘着テープが前記切断刃に粘着することがなく、前記粘着テープの先端が前方に突出して残され、初期状態に戻る。【００１１】本発明のテープカッターにテープロールを装填した直後の切断のつぎの切断以後は、切断された粘着テープの長さは前記ローラーの外周の長さと同じ一定の長さになる。【００１２】上述のように、本発明のテープカッターは、電力を使用せず、簡単な構造で、粘着テープを巻回したテープロールから一定の長さに切断された粘着テープを次々に取り出すことができる。
【図面の簡単な説明】
【００１３】
【図１】本発明の実施例を示す斜視図である。
【図２】図１における一方の構成片１０を示す斜視図である。
【図３】図１における他方の構成片５０を示す斜視図である。
【図４】図１の実施例にテープロールを装填した状態を示す要部側面図である。
【図５】図４の状態から粘着テープを引き出した状態を示す要部側面図である。
【図６】図５の状態から粘着テープを切断した状態を示す要部側面図である。
【図７】図２におけるローラー３０の他の実施例を示す斜視図である。
【図８】図２におけるローラー３０および揺動軸部２１のさらに他の実施例を示す要部側面図である。
【発明を実施するための形態】
【００１４】以下、図面に基づいて本発明の実施の形態を説明する。
図１は本発明の実施例のテープカッターを示す斜視図であり、一方の構成片１０と他方の構成片５０とから構成され、図２は一方の構成片１０を示す斜視図であり、図３は他方の構成片５０を示す斜視図である。
【００１５】図２において、一方の構成片１０に、中央部位置に粘着テープを巻回したテープロールを回動自在に支持するテープ支持部１１を設け、テープ支持部１１の前方やや下方位置に軸芯１２を垂設し、テープ支持部１１に支持されたテープロール１から前方に引き出した粘着テープ２を前方への揺動により切断する切断刃２０を、軸芯１２に揺動軸部２１を嵌挿して前後方向に揺動自在に取り付け、揺動軸部２１の外径よりも大きな内径を有する円筒状体の内周面に係合部３１を設けたローラー３０を、揺動軸部２１に回動自在に遊嵌し、切断刃２０が上方揺動位置にある状態でローラー３０が下方に押圧されながら揺動軸部２１の周りを前方に回動する際に係合部３１が係合する被係合部２２を、揺動軸部２１の外周面の後部斜め上に設ける。本実施例では被係合部２２を揺動軸部２１の軸中心を通る垂線から５０度後傾した位置に設けた。なお後傾角度は５０度に限ることはなく、ローラー３０が下方に押圧されながら前方に回動する際に切断刃２０の上方揺動位置から前方揺動位置までの揺動範囲で係合部３１が被係合部２２に係合する角度であればよい。
【００１６】ローラー３０はプラスチック成形により形成することができるが、金属板、プラスチック板等の板状体の端部を折り曲げ、その端部を内側にして円筒状に丸める加工により図７のように形成することもできる。また本実施例では係合部３１を凸部状にし、被係合部２２を凹部状にしているが、図８のように係合部３１を凹部状にし、被係合部２２を凸部状にしてもよい。
【００１７】軸芯１２の近傍にばね用支持部１４を設け、付勢部材としてトーションばね４０をばね用支持部１４に支持することにより切断刃２０を後方に揺動付勢するとともにローラー３０を上方に付勢し、テープ支持部１１の前方やや上方でテープロール１の回動を妨げない位置に、切断刃２０の前方揺動位置から後方への揺動を上方揺動位置で係止するストッパー１３を設ける。なおトーションばね４０は一つの部材でなくてもよく、切断刃２０を後方に揺動付勢する部材と、ローラー３０を上方に付勢する部材と、であってもよい。
【００１８】図３において、他方の構成片５０に、中央部位置に図２におけるテープ支持部１１に嵌合する嵌合部５１を設け、嵌合部５１をテープ支持部１１に嵌合して一方の構成片１０と他方の構成片５０とが図１における本発明の実施例のテープカッターを形成する位置で、図２における軸芯１２が挿通する軸穴５４を設け、軸穴５４の近傍に図２におけるローラー３０の前方位置および後方位置で図２における粘着テープ２を下方に押し下げるテープ押下部５２、５３を設ける。
【００１９】図４〜６は、粘着テープ２の取り出し作業を示す図で、図４は、図１における本発明の実施例のテープカッターにテープロール１を装填した状態を示す要部側面図であり、図５は、図４における粘着テープ２を引き出した状態を示す要部側面図であり、図６は、図５における粘着テープ２を切断した状態を示す要部側面図である。
【００２０】図４において、テープロール１から粘着テープ２を引き出し、粘着面２ｂを下向きにしてテープロール１をテープ支持部１１に装填し、粘着面２ｂをローラー３０の外周面の上部に当接させ、テープ押下部５２、５３をローラー３０の前方位置および後方位置で非粘着面２ａに押し当てて粘着テープ２を下方に押し下げる。
【００２１】図５において、図４における粘着テープ２の先端をつまんで引き出すと、非粘着面２ａがテープ押下部５２、５３に押し付けられ、その反力により粘着面２ｂがローラー３０に押し付けられるため、トーションばね４０の付勢力に抗してローラー３０が下方に押し下げられ、切断刃２０が上方揺動位置にある状態で粘着テープ２の引き出しとともにローラー３０が下方に押圧されながら揺動軸部２１の周りを前方に回動し、係合部３１が揺動軸部２１の外周面の後部斜め上で被係合部２２に係合する。
【００２２】図６において、図５における粘着テープ２をさらに引き出すと、ローラー３０が下方に押圧されながら前方に回動するとともに切断刃２０がトーションばね４０の付勢力に抗して上方揺動位置から前方に揺動し、前方揺動位置で粘着テープ２を非粘着面２ａ側から切断する。切断刃２０が前方揺動位置にある状態での係合部３１と被係合部２２との係合位置は揺動軸部２１の外周面の前部斜め上であり、本実施例では揺動軸部２１の軸中心を通る垂線から４０度前傾した位置である。
【００２３】粘着テープ２の引き出しとともに粘着面２ｂのローラー３０への粘着と剥離が繰り返されるため、粘着面２ｂの粘着力が強すぎると粘着テープ２を引き出し難くなる。粘着面２ｂの粘着力が強すぎる粘着テープ２を引き出し易くするためには、ローラー３０の外周面に梨地状または筋状等の凹凸形状を設けて粘着テープ２がローラー３０に粘着する面積を小さくすることが好ましい。なお凹凸形状を設ける場合、凹凸の大きさや深さについては、粘着テープ２の引き出しとともにローラー３０が下方に押圧されながら前方に回動することに影響を及ぼさない程度のものとする。
【００２４】粘着テープ２の切断後は、非粘着面２ａがテープ押下部５２、５３に押し付けられなくなり、その反力が消失して粘着面２ｂがローラー３０に押し付けられなくなるため、ローラー３０を下方に押圧する力が消失してトーションばね４０の付勢力によりローラー３０が上方に押し上げられ、揺動軸部２１の外周面の前部斜め上における係合部３１と被係合部２２との係合が解除され、切断刃２０を前方に揺動する力が消失してトーションばね４０の付勢力により切断刃２０が前方揺動位置から後方に揺動し、上方揺動位置でストッパー１３に係止する。
【００２５】ローラー３０は、揺動軸部２１に回動自在に遊嵌されているため、切断刃２０の後方への揺動とともに後方に回動することがなく、また非粘着面２ａ側からの切断であるため、粘着テープ２が切断刃２０に粘着することもなく、粘着テープ２の先端が前方に突出して残され、図４の状態に戻る。
【産業上の利用可能性】
【符号の説明】
【００２６】１    テープロール
２    粘着テープ
２ａ  非粘着面
２ｂ  粘着面
１０  一方の構成片
１１  テープ支持部
１２  軸芯
１３  ストッパー
１４  ばね用支持部
２０  切断刃
２１  揺動軸部
２２  被係合部
３０  ローラー
３１  係合部
４０  トーションばね
５０  他方の構成片
５１  嵌合部
５２  テープ押下部
５３  テープ押下部
５４  軸穴
【図１】
2013245109.tif 000003
【図２】
2013245109.tif 000004
【図３】
2013245109.tif 000005
【図４】
2013245109.tif 000006
【図５】
2013245109.tif 000007
【図６】
2013245109.tif 000008
【図７】
2013245109.tif 000009
【図８】
2013245109.tif 000010